(57)【要約】【課題】フラットパネルディスプレイ本体と、このフラットパネルディスプレイ本体を載せて支持するスタンドと、により構成され、上記スタンドにはスピーカーが組み込まれてなるフラットパネルディスプレイ装置において、フラットパネルディスプレイ本体とスタンド側のスピーカーとの電気的接続が確実に行われるフラットパネルディスプレイ装置を提供する。【解決手段】フラットパネルディスプレイ本体と上記スタンドの間に、フラットパネルディスプレイ本体とスピーカーとを電気的に接続する接続部を備え、この接続部は、フラットパネルディスプレイ本体をスタンドに載せた状態で、フラットパネルディスプレイ本体側のコネクタ２５とスタンド側のコネクタ２６が嵌合して接続され、かつ、コネクタの何れか一方側２６が、弾性部材３８によって常に他方側２５に押し付けられるように嵌合される構造とする。【選択図】  図６
2006033786.tif 000002
【特許請求の範囲】
【請求項１】
フラットパネルディスプレイ本体と、このフラットパネルディスプレイ本体を載せて支持するスタンドと、により構成され、上記スタンドにはスピーカーが組み込まれてなるフラットパネルディスプレイ装置において、
上記フラットパネルディスプレイ本体と上記スタンドの間に、上記フラットパネルディスプレイ本体と上記スピーカーとを電気的に接続する接続部を有し、
この接続部は、上記フラットパネルディスプレイ本体を上記スタンドに載せた状態で、フラットパネルディスプレイ本体側のコネクタとスタンド側のコネクタが嵌合して接続され、かつ、上記コネクタの何れか一方側が、弾性部材によって常に他方側に押し付けられるように嵌合される構造としたことを特徴とするフラットパネルディスプレイ装置。
【請求項２】
上記接続部において、弾性部材によって押し付けられる一方側のコネクタは、その可動範囲の中間点において他方側のコネクタに嵌合される構造としたことを特徴とする請求項１に記載のフラットパネルディスプレイ装置。
【発明の詳細な説明】
【技術分野】
【０００１】
本発明は、フラットパネルディスプレイ装置に関し、特にフラットパネルディスプレイ本体を支持するスタンドにスピーカーを組み込んだ構成のフラットパネルディスプレイ装置おいて、フラットパネルディスプレイ本体とスピーカーとの電気的接続を確実にするための構造に係るものである。
【背景技術】
【０００２】
近年、薄型の画像表示装置として、液晶ディスプレイやプラズマディスプレイを採用したフラットパネルディスプレイ装置が実用化されている。
このフラットパネルディスプレイ装置では、専用のスタンドを用意し、これにフラットパネルディスプレイ本体を載せて支持するようにしたものがある（例えば特許文献１）。
【特許文献１】特開平１０−１６１５５２号公報
【０００３】
そして最近では、このフラットパネルディスプレイ装置において、スタンドに低音域用のスピーカーを組み込み、フラットパネルディスプレイ本体に内蔵されるスピーカーと合わせて大音量の音響システムを構成することが考えられている。
【発明の開示】
【発明が解決しようとする課題】
【０００４】
この場合、フラットパネルディスプレイ本体とスタンドの間に、フラットパネルディスプレイ本体と低音域用スピーカーとを電気的に接続する接続部を設け、この接続部では、フラットパネルディスプレイ本体側のコネクタとスタンド側のコネクタの嵌合によって電気的接続が行われるようにしているが、ここで場合によってはコネクタが確実に嵌合されず、不完全な接続状態のまま使用されてしまう恐れがある。例えば、ディスプレイ本体とスタンドを組み合わせた状態で梱包し搬送する場合、搬送時の振動等によってコネクタの嵌合が不確実になってしまうことがあり、ユーザーがそれに気付かずに使用すると、低音域用スピーカーから音が出ないため、故障と勘違いされてしまう恐れがあった。
【０００５】
本発明は斯かる点に鑑みてなされたもので、フラットパネルディスプレイ本体とスタンド側のスピーカーとの電気的接続が確実に行われるフラットパネルディスプレイ装置を提供し、上記の問題点を解消することを目的とする。
【課題を解決するための手段】
【０００６】
上記の目的を達成するために本発明は、
フラットパネルディスプレイ本体と、このフラットパネルディスプレイ本体を載せて支持するスタンドと、により構成され、スタンドにはスピーカーが組み込まれてなるフラットパネルディスプレイ装置において、
フラットパネルディスプレイ本体とスタンドの間に、フラットパネルディスプレイ本体とスピーカーとを電気的に接続する接続部を有し、
この接続部は、フラットパネルディスプレイ本体をスタンドに載せた状態で、フラットパネルディスプレイ本体側のコネクタとスタンド側のコネクタが嵌合して接続され、かつ、コネクタの何れか一方側が、弾性部材によって常に他方側に押し付けられるように嵌合される構造としたものである。
この構成において、弾性部材によって押し付けられる一方側のコネクタは、その可動範囲の中間点において他方側のコネクタに嵌合される構造とすることが望ましい。
【発明の効果】
【０００７】
本発明のフラットパネルディスプレイ装置は、ディスプレイ本体をスタンドに載せた状態でディスプレイ本体とスピーカーとが電気的に接続される構造となっているので、ユーザーが面倒な接続作業を行うことなくディスプレイ本体とスピーカーの電気的接続が確実に行われる。そして、特に本発明においては、一方側のコネクタを弾性部材の力によって常に他方側のコネクタに押し付けるように嵌合させる構造としたことで、安定した接続状態が確保される。このため、例えばディスプレイ本体とスタンドを組み合わせた状態で梱包し搬送する場合でも、搬送時の振動等によってコネクタの嵌合が不確実になってしまうようなことはなく、接続の信頼性が保証される効果がある。
【発明を実施するための最良の形態】
【０００８】
以下、図面を参照しながら本発明の好適な実施例について詳細に説明する。
図１は本発明が適用されるフラットパネルディスプレイ装置の正面側から見た斜視図、図２は同、背面側から見た斜視図である。
このフラットパネルディスプレイ装置１は、フラットパネルディスプレイ本体(以下単にディスプレイ本体という)２と、このディスプレイ本体２を支持するスタンド１０と、により構成される。
【０００９】
ディスプレイ本体２は、前面に３７〜５０インチの大型の画面３を有し、かつ機体の厚みが１０ｃｍ未満の超薄型に形成されたプラズマディスプレイ方式のテレビジョン装置である。このディスプレイ本体２においては、画面３の左右両側にスピーカー４，５が内蔵されており、この左右のスピーカー４，５からステレオ音声が出力されるようになっている。なお、このディスプレイ本体２のスピーカー４，５からは、主に中高音域の音声が出力される。
【００１０】
一方、ディスプレイ本体２を支持するスタンド１０は、床面に接するベース板１１に脚体１２を立設し、その上に台座板１３を水平に固定して構成され、この台座板１３上にディスプレイ本体２が垂直に立てられた状態で載置支持される。さらにこのスタンド１０の背面側には、ディスプレイ本体２の背面を支持する２本の支柱１４，１５が台座板１３の左右両端部から垂直に立設されており、この支柱１４，１５にビス止めによってディスプレイ本体２を固定して一体化するものである。
【００１１】
なお、このスタンド１０において脚体１２は、ベース板１１に対し左右に回転および前後に傾斜調整が可能に構成されており、これによってディスプレイ本体２の画面の角度を任意に可変調整することができるようになっている。
【００１２】
そして本例のフラットパネルディスプレイ装置１では、このスタンド１０の背面側に立設された左右の支柱１４と１５の上部間に支持されるように、スピーカー２１を内蔵したスピーカーボックス２０が装着されている。このスピーカーボックス２０に内蔵されるスピーカー２１は、低音域用のスピーカー(以下ウーハーという)であり、スタンド１０に載せられたディスプレイ本体２と電気的に接続されて重低音を出力するものである。
【００１３】
このフラットパネルディスプレイ装置１において、ディスプレイ本体２の左右のスピーカー４，５の最大出力は夫々２５Ｗ、スタンド１０の背面側のウーハー２１の最大出力は５０Ｗであり、ディスプレイ本体２とスタンド１０を組み合わせることにより、合計１００Ｗの大音量の音響システムが完成する構成となっている。
【００１４】
そして特にこのフラットパネルディスプレイ装置１では、ディスプレイ本体２を載せるスタンド１０の背面側に支柱１４，１５を立設し、この支柱１４と１５の間にウーハー２１が内蔵されるスピーカーボックス２０を支持する構成としたことにより、スピーカーボックス２０を大きく形成して大容量化を図ることができるので、より迫力のある重低音の音響システムを実現することができる。
【００１５】
またこのフラットパネルディスプレイ装置１は、ウーハー２１が内蔵されるスピーカーボックス２０をスタンド１０の背面側に配置した構成により、前方から見て全体的にすっきりとしたシンプルな外観構成とすることができる。
【００１６】
続いて、本例のフラットパネルディスプレイ装置１におけるディスプレイ本体２とスタンド１０の組み合わせ構造についてさらに詳細に説明する。
図３に示すように、スタンド１０においては、台座板１３の左右両端に２本の突子１７，１８が垂直に立設されており、これに対応してディスプレイ本体２側には、図４に示す如く底部２ａの中央に２つの挿入穴７，８が形成されている。そして、ディスプレイ本体２とスタンド１０を組み合わせる際には、突子１７，１８に挿入穴７，８を合わせるようにして、図５に示す如くディスプレイ本体２を上方からスタンド１０の台座板１３に載せることにより、挿入穴７，８に突子１７，１８が挿入係合されてディスプレイ本体２とスタンド１０の正確な位置決めが行われ、その状態でスタンド１０の背面側からビス止めによって支柱１４，１５をディスプレイ本体２に固定してディスプレイ本体２とスタンド１０を一体化する。
【００１７】
このフラットパネルディスプレイ装置では、ディスプレイ本体２をスタンド１０に載せると同時に、ディスプレイ本体２とウーハー２１とが電気的に接続される構造となっている。その接続部の構造を図６および図７に示す。
【００１８】
図において２５はディスプレイ本体２側のコネクタ、２６はスタンド１０側のコネクタであり、このコネクタ２５と２６を嵌合接続することによってディスプレイ本体２とウーハー２１の電気的接続が達成される。
スタンド側のコネクタ２６は、台座板１３上に設けられた保持板２７に固定保持されている。保持板２７には、コネクタ２６の左右両側に小突子２８，２９が垂直に立設されており、これに対応してディスプレイ本体２の底部には、コネクタ２５の左右両側に挿入穴３０，３１が形成されている。
【００１９】
ここで保持板２７は、小突子２８，２９と反対の下面側に下部突子３２，３３を有し、この下部突子３２，３３を台座板１３に形成された穴３４，３５に通して下からワッシャ付ビス３６，３７で止め、上下方向に可動状態に組み付けてある。この保持板２７と台座板１３の間には弾性部材として板ばね３８が組み込まれており、この板ばね３８の力によってコネクタ２６は常に保持板２７と一体に持ち上げられるように弾性支持されている。
【００２０】
そして、ディスプレイ本体２をスタンド１０に載せることにより、保持板２７の小突子２８，２９がディスプレイ本体２の挿入穴３０，３１に挿入されるとともに、コネクタ２５と２６が嵌合接続されてディスプレイ本体２とウーハー２１の電気的接続が行われる。
【００２１】
この場合、ディスプレイ本体２をスタンド１０に載せるときには、先ず前述の如くスタンド１０の突子１７，１８がディスプレイ本体２の挿入穴７，８に挿入され、その後に小突子２８，２９が挿入穴３０，３１に挿入される。スタンド１０の突子１７，１８がディスプレイ本体２の挿入穴７，８に挿入されたときにはディスプレイ本体２とスタンド１０の横方向のガタは１ｍｍ程度であり、続いて小突子２８，２９が挿入穴３０，３１に挿入されることによってガタは０．５ｍｍ以下になり、その状態で最後にコネクタ２５と２６が嵌合接続される。このように段階的にガタを吸収する構造を採用したことにより、コネクタ２５と２６は確実に嵌合接続される。なお、ここでディスプレイ本体側のコネクタ２５は、スタンド側のコネクタ２６との嵌合誤差を吸収するために、若干の遊びをもって組み付けられている。
【００２２】
さらに、この接続部においてスタンド側のコネクタ２６は、板ばね３８の力によって常にディスプレイ本体側のコネクタ２５に押し付けられ、抜けのないように安定して嵌合される。この場合、スタンド側のコネクタ２６は、その上下可動範囲の中間点付近でディスプレイ本体側のコネクタ２５と嵌合されるようになっている。即ちこの構成では、スタンド側のコネクタ２６を保持する保持板２７の台座板１３に対する上下方向の可動範囲は約１．４ｍｍとなっているが、保持板２７が台座板１３から約０．７ｍｍ持ち上げられた中間点付近でスタンド側のコネクタ２６がディスプレイ本体側のコネクタ２５と嵌合されるようにしてある。このため、スタンド側のコネクタ２６は余裕をもってディスプレイ本体側のコネクタ端子２５に押し付けられ、より安定した嵌合が可能となる。
【００２３】
このように本例のフラットパネルディスプレイ装置は、ディスプレイ本体２をスタンド１０に載せると同時にディスプレイ本体２とウーハー２１とが電気的に接続される構造となっているので、ユーザーが面倒な接続作業を行うことなくディスプレイ本体２とウーハー２１の電気的接続が確実に行われる。
【００２４】
そして、特にこの接続部においては、スタンド側のコネクタ２６を板ばね３８の力によって常にディスプレイ本体側のコネクタ２５に押し付けて嵌合させる構造としたことで、安定した接続状態が確保される。このため、例えばディスプレイ本体２とスタンド１０を組み合わせた状態で梱包し搬送する場合でも、搬送時の振動等によってコネクタ２５と２６の嵌合が外れてしまうようなことはなく、接続の信頼性が保証される。
【００２５】
なお、本例においては、スタンド側のコネクタ２６を板ばねの力によって常にディスプレイ本体側のコネクタ２５に押し付ける構造としてあるが、これを逆の構成、即ちディスプレイ本体側のコネクタ２５を板ばねの力によって常にスタンド側のコネクタ２６に押し付ける構造としてもよい。
【００２６】
上述のように本例のフラットパネルディスプレイ装置では、ディスプレイ本体２をスタンド１０に載せるだけでディスプレイ本体２とウーハー２１とが電気的に接続される構造となっているが、ここで例えば接続部に異物が挟まるなどの原因で接続ミスが生じた場合、ユーザーはそれに気付かずにそのまま使用し、このフラットパネルディスプレイ装置の本来の音響性能が充分に発揮されないまま使用され続けてしまう恐れがある。
【００２７】
そこでこのフラットパネルディスプレイ装置においては、接続部に接続ミスが生じた場合、それを検出してメッセージを画面上に表示するようにしてある。
図８は、接続部における接続ミスを検出するための手段を示す。この接続部においてコネクタ２５と２６は、夫々４つの接続端子２５ａ，２５ｂ，２５ｃ，２５ｄと２６ａ，２６ｂ，２６ｃ，２６ｄを有し、そのうち２つの接続端子２５ａ，２５ｂと２６ａ，２６ｂはオーディオ用であり、即ちこのオーディオ用の接続端子２５ａ，２５ｂと２６ａ，２６ｂは、ディスプレイ本体側のオーディオ回路４０とスタンド側のウーハー２１とを接続し、これによりオーディオ回路４０からウーハー２１に音声信号が供給されて、ウーハー２１から重低音が出力される。
【００２８】
残りの２つの接続端子２５ｃ，２５ｄと２６ｃ，２６ｄは接続検出用であり、即ちここで接続端子２５ｃ，２５ｄはディスプレイ本体側の検出回路４１に接続され、一方、接続端子２６ｃと２６ｄはスタンド内でＵターン接続部２６ｅにおいて短絡接続されている。検出回路４１は、接続端子２５ｃ，２５ｄと２６ｃ，２６ｄの間に検出用の電流を流し、その導通の有無によって接続状態を検出する。即ち、コネクタ２５と２６が正しく接続されている場合は、接続端子２５ｃ，２５ｄと２６ｃ，２６ｄの間に電流が流れるが、コネクタ２５と２６が正しく接続されていない場合は、接続端子２５ｃ，２５ｄと２６ｃ，２６ｄの間に電流は流れないので、この場合は接続ミスと判断する。
【００２９】
そして、検出回路において接続ミスが検出されると、制御装置(マイクロコンピュータ)からの指令によって、文字信号発生装置(キャラクタジェネレータ)から予めメモリーに記憶された文字情報が出力され、これが図１０に示す如くディスプレイ本体２の画面３の端に、接続ミスを伝えるメッセージ６０として表示される。
【００３０】
このメッセージの表示に関する一連の動作の流れを図９に示す。先ず、ユーザーがディスプレイ本体をスタンドに載せ(ステップ１０１)、ディスプレイ本体の電源を入れると(ステップ１０２)、検出回路が作動し(ステップ１０３)、接続部が正しく接続されているか否かを判断する(ステップ１０４)。その結果、正しく接続されている場合は検出動作を終了し、正しく接続されていない場合は、文字信号発生装置が作動してディスプレイ本体の画面にメッセージが表示され(ステップ１０５)、これを見たユーザーはディスプレイ本体の電源を切り(ステップ１０６)、それから再びディスプレイ本体をスタンドに載せ直すようにする(ステップ１０１)。
【００３１】
このように本例のフラットパネルディスプレイ装置では、ディスプレイ本体２とウーハー２１が正しく接続されなかった場合の接続ミスを検出し、それを伝えるメッセージを画面３に表示させるようにしたことにより、ユーザーが接続ミスに気付かずにそのまま使用し続けることを回避できるので、本来の音響性能を充分に発揮して使用することができる。
【００３２】
次に、本例のフラットパネルディスプレイ装置において、スタンド１０に載せるディスプレイ本体２の大きさに応じてウーハー２１のスピーカーボックス２０の位置を調整するためのスライド機構について説明する。
【００３３】
ディスプレイ本体２には、同一のデザインで大きさの異なる複数の機種があり、大別して小型の機種(３７〜４２インチ画面)と、大型の機種(５０インチ画面)とがある。何れも機体の背面側には外部接続用の各種の端子４４ａを並べた端子部４４が設けられているが、機種によってこの端子部４４の位置や大きさが異なっている。即ち、大型の機種では、小型の機種に比べて端子部４４が上方に設けられており、かつ大きく形成されている。従って、大型の機種の場合でもスピーカーボックス２０が邪魔となることなく端子部４４の端子４４ａに外部接続コードを接続することができるように、特に本例のスタンド１０においては、スピーカーボックス２０を上下にスライド調整可能としてある。
【００３４】
図１１に示す如く本例のスタンド１０では、台座板１３に立設される支柱の心材を構成するガイドレール１４Ａと１５Ａの間に背面板４６が上下方向にスライド可能に支持されており、この背面板４６にスピーカーボックス２０がビス５３によって固定される構造となっている。背面板４６は、その両側端面部においてガイドレール１４Ａ，１５Ａと面接触し、ビス４８によって締め付け固定される。ガイドレール１４Ａ，１５Ａには、上下方向のガイド長穴４９が形成されており、これにビス４８を通して背面板４６を上下方向にスライド可能に支持してある。
【００３５】
斯かる構成により、スピーカーボックス２０は、ガイド長穴４９に沿ってビス４８が移動する範囲内で上下方向にスライドし、ビス４８を締め付けることによって任意のスライド位置で固定され、ビス４８を緩めることによって再びスライド可能となる構造となっている。
【００３６】
このようにスピーカーボックス２０を上下方向にスライド調整可能としたことにより、本例のスタンド１０は、大きさの異なる複数種のディスプレイ本体２に対応することができる。即ち、ディスプレイ本体２が小型の機種の場合は、図２に示す如くスピーカーボックス２０を通常の位置にし、大型の機種の場合は、図１３に示すようにスピーカーボックス２０を上方にスライドさせることにより、スピーカーボックス２０が邪魔となることなく端子部４４の端子４４ａに外部接続コードを接続することができる。また、音響効果を考慮して、スピーカーボックス２０を最適の高さ位置に調整することもできる。
【００３７】
また、図１１および図１２に示すように、スピーカーボックス２０は、クッション材５０を介してスタンド１０に支持される構造となっている。本例においては、スタンド１０の背面板４６の複数箇所に絞り部５１を有し、この絞り部５１の中心に形成された穴５１ａに例えばエラストマによりなるリング状のクッション材５０が嵌着されている。そしてこのクッション材５０の中心穴にスピーカーボックス２０から突出される軸柱５２を通し、これをワッシャ付ビス５３で止めて固定してある。
【００３８】
このようにスピーカーボックス２０と背面板４６との間にクッション材５０を介在させた構造により、スピーカーボックス２０から伝わる重低音の振動がクッション材５０で効果的に吸収され、特に大出力音量時のディスプレイ本体２への振動伝達をカットし、ディスプレイ本体２における音のビリつきや共振を防ぎ、クリアーな音を出すことが可能となる。
【００３９】
以上、本発明の実施例について説明したが、本発明はこの実施例の構成に限定されることなく、その他にも種々の実施形態を採り得るものであることは言うまでもない。
【図面の簡単な説明】
【００４０】
【図１】フラットパネルディスプレイ装置の正面側から見た斜視図である。
【図２】同、背面側から見た斜視図である。
【図３】スタンドの斜視図である。
【図４】ディスプレイ本体を裏返しに寝かせた状態で、底面側から見た斜視図である。
【図５】ディスプレイ本体をスタンドに載せる動作の説明図である。
【図６】ディスプレイ本体とウーハーを電気的に接続する接続部の構造を示す縦断正面図である。
【図７】同、要部の分解斜視図である。
【図８】接続部の接続ミスを検出する検出手段の構成図である。
【図９】メッセージの表示に関する動作の流れを説明するフローチャートである。
【図１０】メッセージの表示例を示す図である。
【図１１】スピーカーボックスのスライド機構の構成を示す分解斜視図である。
【図１２】スピーカーボックスの支持構造を示す横断面図である。
【図１３】スピーカーボックスを上方にスライドさせた状態を示す斜視図である。
【符号の説明】
【００４１】
１…フラットパネルディスプレイ装置、２…ディスプレイ本体、１０…スタンド、２１…ウーハー(低音域用スピーカー)、２５，２６…コネクタ、３８…板ばね(弾性部材)
【図１】
2006033786.tif 000003
【図２】
2006033786.tif 000004
【図３】
2006033786.tif 000005
【図４】
2006033786.tif 000006
【図５】
2006033786.tif 000007
【図６】
2006033786.tif 000008
【図７】
2006033786.tif 000009
【図８】
2006033786.tif 000010
【図９】
2006033786.tif 000011
【図１０】
2006033786.tif 000012
【図１１】
2006033786.tif 000013
【図１２】
2006033786.tif 000014
【図１３】
2006033786.tif 000015
【手続補正書】
【提出日】平成17年9月27日(2005.9.27)
【手続補正１】
【補正対象書類名】図面
【補正対象項目名】図６
【補正方法】変更
【補正の内容】
【図６】
2006033786.tif 000016